(57)【特許請求の範囲】
【請求項１】
投射システムであって、
光を生成して放出する光源；
前記光を受容し且つ前記光を通過させるように構成された異なって偏光させる複数のセクションを有する回転可能なドラム；
前記光を第１及び第２の光ビームに分割する第１のビームスプリッタ；
前記第１の光ビームを第３及び第４の光ビームに分割する第２のビームスプリッタ；
前記第２の光ビームを第５及び第６の光ビームに分割する第３のビームスプリッタ；
前記第３の光ビームを受容し且つその少なくとも一部を反射するように構成された第１のイメージャー；
前記第４の光ビームを受容し且つその少なくとも一部を反射するように構成された第２のイメージャー；
前記第５の光ビームを受容し且つその少なくとも一部を反射するように構成された第３のイメージャー；及び
前記第６の光ビームを受容し且つその少なくとも一部を反射するように構成された第４のイメージャー；
を有し、
前記第１乃至第４のイメージャーは、表示表面の異なる部分へ投射するように構成されている、
投射システム。
【請求項２】
請求項１に記載の投射システムにおいて、
前記イメージャーは、マイクロディスプレイ・デバイスである、投射システム。
【請求項３】
請求項１に記載の投射システムにおいて、
前記イメージャーは、約２Ｋ×１Ｋピクセルの分解能を有する、投射システム。
【請求項４】
請求項１に記載の投射システムにおいて、
前記第１乃至第４のイメージャーは、前記表示表面上に動画像のフレーム全体のうちの等しい面積を表示するように構成されている、投射システム。
【請求項５】
請求項１に記載の投射システムであって、
前記光源と前記イメージャーの少なくとも一つとの間に光学的に配された内部全反射レンズ、を更に含む投射システム。
【請求項６】
請求項５に記載の投射システムであって、
前記内部全反射レンズと前記表示表面との間に光学的に配された投射光学系、を更に含む投射システム。
【請求項７】
請求項１に記載の投射システムであって、
前記ビームスプリッタは、光ビームを分裂させるプリズムである、投射システム。
【請求項８】
請求項７に記載の投射システムにおいて、
前記イメージャーは、動画像フレーム全体の別々の一部のみに対応する動画像データを担持するように、受容した光ビームを操縦する、投射システム。
【請求項９】
請求項１に記載の投射システムであって、
前記ドラムはさらに、異なって着色された複数のセクションを含む、投射システム。
【請求項１０】
請求項１に記載の投射システムであって、
前記光を三原色光ビームへと分離する複数の三色プリズム、を更に含む投射システム。
【請求項１１】
請求項１０に記載の投射システムにおいて、
前記三色プリズムの少なくとも１つが、前記第３の光ビームを、前記第１のイメージャー、第５のイメージャー及び第６のイメージャーである異なるイメージャーへ方向付けられる三原色光ビームへと分離する、投射システム。
【請求項１２】
請求項１に記載の投射システムにおいて、
前記光ビームは、前記ドラムが前記ドラムの中心軸まわりで回転される際に、前記ドラムの壁を通じて通過される、投射システム。
【請求項１３】
画像を投射する方法であって、
光ビームを生成するステップ；
光の別個の色へと前記光をフィルター処理するステップ；
相異なる偏光を有する第一偏光部分及び第二偏光部分を作り出すように前記光ビームを偏光させるステップ；
前記光ビームを第１及び第２の光ビームに分割するステップ；
前記第１の光ビームを第３及び第４の光ビームに分割するステップ；
前記第２の光ビームを第５及び第６の光ビームに分割するステップ；
前記第３、第４、第５及び第６の光ビームを相異なるイメージャーへ方向付けるステップ；
前記相異なるイメージャーからの光を、表示表面の相異なる別々の領域へ投射するステップ；
を有する方法。
【請求項１４】
請求項１３に記載の方法において、
前記光ビームを偏光させるステップにおいて、異なる偏光の複数のセクションを有する回転可能なドラムが使用される、方法。
【請求項１５】
請求項１３に記載の方法において、
前記イメージャーは、マイクロディスプレイ・デバイスである、方法。
【発明の詳細な説明】
【技術分野】
【０００１】
発明の分野
当該発明は、ディジタル・マイクロミラー・デバイス（ＤＭＤデバイス）投射システムに関係する。特定したものにおいては、当該発明は、高い分解能の３ＤのＤＭＤ投射システムに関係する。
【背景技術】
【０００２】
発明の背景
ディジタル光プロセッサー（ＤＬＰ）というようなディジタル・マイクロミラー・デバイス（ＤＭＤデバイス）の到来で、ありつづけてきたものは、全体として公衆によって目視するものであるための映画の劇場へとディジタル投射技術を統合することの欲求である。しかしながら、今までのところで、ＤＭＤ（及び特定したものにおいてはＤＬＰ）は、ディスプレイの質についての業界標準に従うところの大きい現場について容認可能なイメージを許容するためのものとして本来の分解能の能力において今まで前進してきたものではない。特定しては、ｔｈｅ  Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ（映画テレビ技術者協会）（ＳＭＰＴＥ）は、映画産業の様々なメンバーによって良好に尊重されたものであるところのそのような標準を公表する。一つのそのような標準は、検討室及び劇場におけるＤｉｇｉｔａｌ  Ｃｉｎｅｍａ  Ｄｉｓｔｒｉｂｕｔｉｏｎ  Ｍａｓｔｅｒ（ディジタル映画配布マスター）（ＤＣＤＭ）（ショーのために必要とされた音、ピクチャー、及びデータの要素の全てを含有するところのディジタル・パッケージ）のディスプレイに当てはまる。ＳＭＰＴＥ標準の要件は、投射されたイメージについてのピクセルの数が、最も少ないときで２０４８×１０８０（２Ｋ×１Ｋピクセル）であるものでなければならないというものである。標準は、さらに、ピクセルのメッシュ（デバイスの構造）が、参照の目視する距離から目視されたとき、不可視なものであるものでなければならないことを要求する。多数のＤＭＤ／ＤＬＰプロジェクターが、分解能に関するものである最小の要件を満たす一方で、それらの同じプロジェクターは、適切な参照の目視する距離が、ピクセルのメッシュの可視性を引き起こすために十分に小さいものであるという理由で、標準の第二の要件を満たすことができない。従って、現行のＤＭＤ／ＤＬＰプロジェクターは、ＩＭＡＸ劇場というような、目視する距離が小さいものであるところの、及び、適当な目視する距離からピクセルのメッシュの外観を予防するために、ＤＭＤ／ＤＬＰプロジェクターが、（現行で商業的に入手可能なものであるのではないところの）約４Ｋ×２Ｋの分解能を有するものでなければならないところの、大部分の商業的な劇場に適切なものであるものではないことがあるところの２Ｋ×１Ｋの分解能を有するものである。
【０００３】
深さの外観を備えた投射された二次元の（２Ｄ）イメージは、いわゆる三次元の（３Ｄ）イメージへと投射されたイメージを転換することによって向上させられたものであることがある。これは、光学的に、観察者の右の目によって目視されたものであるためのものであるところのイメージと比べて異なって、観察者の左の目によって目視されたものであるためのものであるところのイメージを偏光させることによって成し遂げられたものである。３Ｄの効果は、観察者が、観察者の左の目との使用のための偏光させられたフィルター及び観察者の右の目との使用のための異なって偏光させられたフィルターを備えた‘３Ｄの目視する眼鏡’として一般的に構成された、偏光させられたフィルターのレンズの使用を通じて偏光させられたイメージを目視するとき、観察者によって知覚されたものである。３Ｄの目視する眼鏡が、３Ｄのイメージを目視するために使用されたものであるとき、観察者の左の目は、左の目と関連させられた偏光させられたフィルターを通じた通過のために適当に偏光させられた光のみをみると共に、観察者の右の目は、観察者の右の目と関連させられた偏光させられたフィルターを通じた通過のために適当に偏光させられた光をのみをみる。３Ｄのイメージを表示するものであるところのより上に記載された方法は、プロジェクターが、典型的なフレーム速度の二倍のもので右の目の情報と左の目の情報を交替すると共にプロジェクターのレンズの前方におけるスクリーン／フィルター／偏光させるものであるブロッカーが、各々の目のイメージが、より上に議論された受動的な立体的な眼鏡の対の対応するものである偏光させるものであるフィルターを通じて通過するというような方式で投射されたイメージの偏光を交替するところの受動的な３Ｄの目視するものとして知られたものである。受動的な３Ｄの目視するものに対する代替物は、プロジェクターが左の目のイメージを表示するとき、能動的な立体的な目の着用物の右の目のシャッターが、閉じられたものである、及び逆もまた同じであるというように、各々の観察者が、プロジェクターとの同期化において作動するところのＬＣＤの光シャッターを備えた眼鏡を着用するところの能動的な３Ｄの目視するものである。３Ｄのイメージを提供するものであるための現行のシステムに関連する一つの問題は、プロジェクショニストが、また技術的な破損に至るところの値段の高い及び時間を消費するものである要件であるところの、標準的なプロジェクターへ外部の特殊なデバイスを付ける及びそれを構成するものでなければならないというものである。さらに、プロジェクショニストが、再度、２Ｄのイメージのみを投射することを望むとき、特殊なデバイスは、相互に取り除かれた又はオフにされたものであるのでなければならない。追加において、投射レンズの表面に対して平行なプロジェクターに付けられたそのようなデバイスを有することは、光が、光が源を発するところのイメージャーへ逆戻りに反射することになるというリスクを導入するが、しばしば、色の生産におけるより低いピクチャーの質及び黒色の及び白色の生産における望ましくないコントラスト比の変化を引き起こすものである。あるものが、３Ｄのイメージを表示することの多数の進歩させられた方法である一方で、改善のための余地は、残る。
【０００４】
今図１を参照するに、典型的な三色プリズム１００が示されている。プリズム１００は、典型的には、三つのチップのディジタル・マイクロミラー・デバイス・プロジェクターと共に使用されるものである。示されたように、光ビーム１０２は、プリズム１００に入ると共に、知られた光学的なコーティングの方法に対する反応において、光の波長に依存して選択的に反射あるいは透過される。さらに、プリズム１００の構成部品の間に小さい空気間隔を提供するものであるというような、知られた内部全反射の技術が、光ビーム１００の分割された構成成分の反射を制御するために使用され得る。三つの色の構成成分へと分離された後に、各々の光ビーム１０２の色の構成成分は、ディジタル・マイクロミラー・デバイスによってプリズム１００へ方向付けられ及びそれの外へ選択的に反射させられる。特定しては、ディジタル・マイクロミラー・デバイス１０４は、光ビーム１０２の青色の色の構成成分を反射させる、ディジタル・マイクロミラー・デバイス１０６は、光ビーム１０２の緑色の色の構成成分を反射させると共に、ディジタル・マイクロミラー・デバイス１０８は、光ビーム１０２の赤色の色の構成成分を反射させる。各々のディジタル・マイクロミラー・デバイス１０４、１０６、１０８は、プリズム１００から投射される結合カラー画像を作り出すように既知の手法で個々に制御され得る。
【発明の概要】
【発明が解決しようとする課題】
【０００５】
従って、高い分解能の３Ｄのイメージを表示することが可能な改善された投射システムを開発することは、望ましいものである。
【課題を解決するための手段】
【０００６】
発明の概要
本発明は、光を発生させるもの及びそれを放出するものであるための光源、それらを通じて光を受容するものであるための異なって偏光させられたセクションを有するものである半透明な回転可能なドラム、ドラムを通じて透過させられた光を受容する及びそれを反射させるために構成された複数のディジタル・マイクロミラー・デバイス・イメージャ、を有するものである、高い分解能の３Ｄの投射システムへ方向付けられたものであるが、そこでは、光ビームは、ドラムの壁を通じて概ね直交して通過させられたものであることが可能なものである。
【０００７】
本発明は、また、３Ｄのイメージを投射するものであるための方法に方向付けられたものである。方法は、異なる偏光及び互いに相対的な交替するものである極性を有するものである第一の及び第二の光ビームへと源の光ビームを偏光させること；回転可能に偏光させることを制御すること；各々、それぞれの第三の及び第四の異なって偏光させられた光ビームを有するところの光の複数の別個のチャンネルへの第一の及び第二の偏光させられた光ビームを分裂させること；異なって着色された光ビームのそれぞれのセットへとそれぞれの第三の及び第四の光ビームのチャンネルの各々を分割すること；異なって着色された光ビームのそれぞれのセットでそれぞれのイメージャーを照明すること；並びに、それぞれのイメージャーを備えたディスプレイの異なる領域を照明すること、のステップを包含する。方法は、さらに、回転可能に制御することのステップにおいて、輪状の経路の半径が実質的に垂直な様式において表面と交差するところで、内方へ方向付けられた表面を有するものである輪状の経路を定義すること；輪状の経路における偏光させることの位置を定義すること；輪状の経路における偏光させることの位置に向かって源の光ビームを方向付けること；並びに、回転可能に輪状の経路に沿った動きを制御すること、のステップを包含することができる。
【図面の簡単な説明】
【０００８】
【図１】図１は、先行の技術に従った三つの色のプリズムの概略的な例証である。
【図２】図２は、本発明に従った偏光のドラムの斜めの概略的な例証である。
【図３】図３は、本発明に従った高い分解能の３Ｄのプロジェクターの直交の概略的な例証である。
【図４】図４は、本発明に従った高い分解能の高い色の制御の３Ｄのプロジェクターの直交の概略的な例証である。
【発明を実施するための形態】
【０００９】
図面の手短な記載
図１は、先行の技術に従った三つの色のプリズムの概略的な例証である；
図２は、本発明に従った偏光のドラムの斜めの概略的な例証である；
図３は、本発明に従った高い分解能の３Ｄのプロジェクターの直交の概略的な例証である；及び、
図４は、本発明に従った高い分解能の高い色の制御の３Ｄのプロジェクターの直交の概略的な例証である。
【００１０】
発明の詳細な記載
今図面における図２を参照することで、本発明の第一の実施形態に従った偏光させるものであるドラムは、例証されたものである。偏光させるものであるドラム２００（又は、そうでなければ偏光の中空のシリンダー呼ばれたもの）は、半透明な材料で形成された回転可能なドラム様の構造である。ドラム２００は、光が、半透明な材料を通じて通過すると共に（ドラムの壁を通じて）ドラム２００の外部表面２０６を通じてドラム２００を出るというように、ドラム２００の内部表面２０４に対して概ね直交の光を方向付けることによってドラム２００を通じて光を通過させるための方向性の光透過デバイス（又はライトパイプ）２０２に近い近接に位置させられた（曲げられたもの又は平坦なものであるところのセグメントを有することができるところの）材料の平坦なバンドとして示されたものである。示されたように、ドラム２００は、径方向に交替するものである時計回りの円形の偏光のセクション２０８（又はＰ−偏光のセクション）及び反時計周りの円形の偏光のセクション２１０（又はＳ−偏光のセクション）へと分割されたものである。動作において、２Ｄのイメージは、ドラム２００が、それの中央の軸のまわりに回転させられたものである一方で、方向性の光透過デバイス２０２を通じて及びその後偏光ドラム２００を通じて２Ｄのイメージを透過させることによって３Ｄのイメージへ転換させられたものであることができる。ドラム２００は、それぞれ、セクション２０８、２１０を通じてイメージを通過させることによってＰ−偏光又はＳ−偏光のいずれかのものとして適当にイメージの各々のフレームを偏光させるようなものとするために、制御されたスピードで回転させられたものである。ドラム２００が、（“イメージャ”、ＤＭＤ／ＤＬＰイメージャ、マイクロミラーアレイ、又はマイクロディスプレイ・デバイスと称されたものであることができると共に機能的な等価なデバイスを包含するできるところの）知られた単一のチップのタイプのディジタル・マイクロミラー・デバイス・イメージャと使用されたものであるためのものであるところで、ドラム２００は、別個のスピンするものである色のホイールについての要望を除去するようなものとするために着色されたものであることができる。具体的には、半透明のドラム２００は、異なって着色されたセクションへと分割されたものであることができる。例については、ドラム２００は、青色のセクション２１２、緑色のセクション２１４、及び赤色のセクション２１６を含むことができる。
【００１１】
今図面における図３を参照することで、本発明に従った高い分解能の３Ｄプロジェクターは、例証されたものである。プロジェクター３００は、反射体３０４を有するものである光源３０２、デバイス２０２に類似の方向性の光透過デバイス３０６、ドラム２００に類似の偏光させるものであるドラム３０８、及びリレー光学部品３１０を含む。
【００１２】
それが、現行で、約２０４８×１０８０（２Ｋ×１Ｋ）の分解能を有するものである単一のＤＭＤ／ＤＬＰイメージャーが、ディスプレイの表面へと正確に映画のイメージデータの全体のフレームを再現することについて不十分なものであることが考えられたものである一方で、ＳＭＰＴＥ標準によって容認可能な結果、約４Ｋ×２Ｋの合計の投射されたイメージの分解能を成し遂げるための（各々が約２Ｋ×１Ｋの分解能を有するものである）高い分解能の３Ｄプロジェクターシステム３００は、都合良くは、複数のＤＭＤ／ＤＬＰイメージャーを利用する。これを成し遂げるために、ターゲットのディスプレイの表面３１４の全体のフレームは、四つの領域、より上の左の領域３１６、より下の左の領域３１８、より上の右の領域３２０、及びより下の右の領域３２２へと分割されたものである。各々のイメージャー３２４、３２６、３２８、３３０が、動画像のフレーム全体の別個の部分のみを投射するように、領域３１６は、ＤＭＤ／ＤＬＰによってイメージャー３２４へと投射されたものであるためのものである、領域３１８は、ＤＭＤ／ＤＬＰによってイメージャー３２６へと投射させられたものであるためのものである、領域３２０は、ＤＭＤ／ＤＬＰによってイメージャー３２８へと投射されたものであるためのものである、及び領域３２２は、ＤＭＤ／ＤＬＰによってイメージャー３３０へと投射されたものであるためのものである。これの実施形態において、各々のイメージャー３２４、３２６、３２８、３３０は、動画像のフレーム全体のうちの実質的に等しい面積を表示表面３１４へ投射するように構成されたものである。しかしながら、代替の実施形態において、イメージャーが、なおも高い分解能の表示を提供するものである一方で動画像の等しくない部分を投射するように構成されたものであることができることは、認められたことであることになる。
【００１３】
動作において、光源３０２は、白色の又は最大限のスペクトルの光ビーム３１２を放出する。そして、楕円形の反射体３０４は、方向性の光透過デバイス３０６へと光を案内するために用いられたものであることができる。そして、光は、偏光させるものであるドラム３０８が、それの中央の軸及びリレー光学部品３１０まわりに回転する際に、偏光させるものであるドラム３０８へと方向付けられたものである。各々のＤＭＤ／ＤＬＰイメージャー３２４、３２６、３２８、及び３３０が、光が供給されたものであるのでなければならないので、リレー光学部品３１０を出るものである光は、光ビームを分裂させるものであるプリズムの使用を通じて（理想的には強度及び色において同一な）光の別個のビーム又はチャンネルへと分離されたものである。第一の光ビームを分裂させるものであるプリズム３３２は、二つの新しい光ビーム３３６及び３３８へと元来の光ビーム３３３を分裂させる。光ビーム３３６は、光ビーム３４２及び３４４に帰着するものである、プリズム３３２から第二の光ビームを分裂させるものであるプリズム３４０へと方向付けられたものである。光ビーム３３８は、光ビーム３４８及び３５０に帰着するものである、プリズム３３２から第三の光ビームを分裂させるものであるプリズム３４６へと方向付けられたものである。光ビーム３４２、３４４、３４８、及び３５０の各々は、各々のイメージャー３２４、３２６、３２８、及び３３０が、光の単一のビームを受容するというように、それぞれ、ＤＭＤ／ＤＬＰイメージャー３２４、３２６、３２８、及び３３０と関連させられた内部全反射レンズ（ＴＩＲレンズ）３５４へと方向付けられた及びそれまで光学的なファイバー３５２を通じて届けられたものである。ＴＩＲレンズは、光を受容するものである、ＤＭＤ／ＤＬＰイメージャーへ受容された光を方向付けるものである、及び最終的にＤＭＤ／ＤＬＰイメージャーのイメージ信号に従った光を出力するものであるために適切なものである。しかしながら、代替の実施形態において、ＴＩＲレンズが、視野レンズで取り替えられたものであることができることは、認められたことであることになる。ＴＩＲレンズ３５４は、投射光学部品システム３６０へと（それぞれ、ＤＭＤ／ＤＬＰイメージャー３２４、３２６、３２８、及び３３０によって部分的に変えられたような）四つの光ビーム３４２、３４４、３４８、及び３５０（又は光のチャンネル）を送り届けるようなものとするために反射性のプリズム３５６及び光学的なブロック３５８の配置へとそれらの出力を方向付けるために配向させられたものである。投射光学部品システム３６０は、究極的には、ターゲットのディスプレイの表面３１４の全体のフレームの、それぞれ、領域３１６、３１８、３２０、及び３２２へと光ビーム３４２、３４４、３４８、及び３５０を方向付ける。それぞれのＤＭＤ／ＤＬＰイメージャーのミラーへＤＭＤ／ＤＬＰイメージャー３２４、３２６、３２８、及び３３０のディスプレイ・コントローラーから送られた入力信号は、ディスプレイの表面３１４の関連させられた領域へと投射されたものであるための望まれたイメージを作り出すために必要なデータのみを含む。さらに、光の受容されたビームは、動画のイメージフレーム全体の別個の部分のみに対応する動画像データを担持するようにイメージャー３２４、３２６、３２８、及び３３０によって操縦される。本発明の他の実施形態においては、より多い又はより少ないＤＬＰイメージャーが、それぞれ、より高い又はより低い全体的なフィルムスクリーンの分解能を達成するために組み込まれたものであることができることは、認められたことであることになる。
【００１４】
３Ｄイメージは、観察者が、観察者の各々の目への眼鏡を通じた光の時計回りの及び反時計回りの円形の偏光させられた部分の一つ（又は代わりに、Ｐ及びＳ偏光させられたものの一つ）のみを許容するところの（示されたものではない）偏光させられたフィルターの眼鏡を着用するとき、投射されたイメージの観察者によって知覚されたものである。プロジェクターは、各々の目が、あらゆる他のフレームをみるのみであることになるので、通常の２Ｄモードに反対させられたような３Ｄモードにおける秒当たりのフレームの数のおおよそ二倍を付与するべきである。代わりに、プロジェクターは、同時に観察者の両方の目によって及び偏光させられたフィルターの眼鏡を着用するものではない観察者によって、目視されたものであるためにフレームのみを含有するものであるイメージデータを投射することによって２Ｄプロジェクターとして使用されたものであることができる。代わりに、ドラム３０８は、（二倍と同じ程度だけ）出力の明るさにおける増加に帰着するものである、光の経路からのドラム３０８の自動化された及び／又は自動の取り除きについて構成されたものであることができる。着色されたドラムが、光の経路から取り除かれたものである場合には、スピンするものである原色のホイールは、光の経路へと導入されたものであるべきである。単一のスピンするものである原色のホイール又は機能的な均等物（例については、図３におけるドラム３０８の場所において図２において示されたドラム２００）は、元来の光ビームが、分裂させられたものである前に、導入されたものであることができる、又は、（示されたものではない）複数のスピンするものである原色のホイール又は機能的な均等物は、一つの各々が、イメージャー３２４、３２６、３２８、及び３３０と関連させられたものであることができる。複数のスピンするものである原色のホイール又は機能的な均等物が、用いられたものであるところの場合には、色のホイール又は機能的な均等物は、ＴＩＲレンズ３５４の前に置かれたものであることができる。
【００１５】
今図面における図４を参照することで、本発明の第二の実施形態に従った高い分解能の高い色の制御の３Ｄプロジェクションシステムは、例証されたものである。高い分解能の３Ｄプロジェクションシステム４００は、それが、都合良くは、ＳＭＰＴＥ標準によって認容可能な結果、約４Ｋ×２Ｋの合計の投射されたイメージの分解能を成し遂げるための（各々が約２Ｋ×１Ｋの分解能を有するものである）複数のＤＭＤ／ＤＬＰイメージャーを利用するという事実を包含するものである多数の方式においてシステム３００に類似のものである。これを成し遂げるために、ターゲットのディスプレイの表面４１４の全体のフレームは、四つの領域、より上の左の領域４１６、より下の左の領域４１８、より上の右の領域４２０、及びより下の右の領域４２２、へと分割されたものである。しかしながら、システム４００は、各々が、（３２４、３２６、３２８、及び３３０と同様の）四つの、単一のイメージャータイプのイメージャーの代わりに三つのＤＭＤ／ＤＬＰイメージャー４５５を含むものである四つの、三つのイメージャーのセット４２４、４２６、４２８、及び４３０を含む。領域４１６は、ＤＭＤ／ＤＬＰによってイメージャーのセット４２４へと投射されたものであるためのものである、領域４１８は、ＤＭＤ／ＤＬＰによってイメージャーのセット４２６へと投射されたものであるためのものである、領域４２０は、ＤＭＤ／ＤＬＰによってイメージャーのセット４２８へと投射されたものであるためのものである、及び、領域４２２は、ＤＭＤ／ＤＬＰによってイメージャーのセット４３０へと投射されたものであるためのものである。三つのＤＭＤ／ＤＬＰイメージャーのセット４２４、４２６、４２８、４３０の各々のＤＭＤ／ＤＬＰイメージャーは、一貫して単一の色（赤色、緑色、又は青色）を操縦するので、あるものは、ドラム４０８について（システム３００において必要とされたもののような）着色されたものであることの要望の無いものである。代わりに、ドラム４０８は、着色されたものではないものであると共に、それを通じた白色の又は最大限のスペクトルの光を通過させる。
【００１６】
動作において、白色の光又は最大限のスペクトルの光は、光源４０２から放出されたものである。そして、楕円形の反射体４０４は、方向性の光透過デバイス４０６へと光を案内するために用いられたものであることができる。そして、光は、偏光させるものであるドラム４０８が、それの中央の軸及びリレー光学部品４１０のまわりに回転する際に、偏光させるものであるドラム４０８へと方向付けられたものである。各々のＤＭＤ／ＤＬＰイメージャーのセット４２４、４２６、４２８、及び４３０が、光が供給されたものであるものでなければならないので、光源４０２を出るものである光は、システム３００において類似して提供されたものであったような光ビームを分裂させるものであるプリズムの使用を通じて（理想的には強度及び色において同一の）光の四つのチャンネルへと分離されたものである。第一の光ビームを分裂させるものであるプリズム４３２は、二つの新しい光ビーム４３６及び４３８へと元来の光ビーム４３４を分裂させる。光ビーム４３６は、光ビーム４４２及び４４４に帰着するものである、第二の光ビームを分裂させるものであるプリズム４４０へとプリズム４３２から方向付けられたものである。光ビーム４３８は、光ビーム４４８及び４５０に帰着するものである、プリズム４３２から第三の光ビームを分裂させるものであるプリズム４４６へと方向付けられたものである。光ビーム４４２、４４４、４４８、及び４５０の各々は、それぞれ、ＤＭＤ／ＤＬＰイメージャーのセット４２４、４２６、４２８、及び４３０と関連させられた（実質的に三つの色のプリズム１００に類似の）三つの色のプリズム４５４まで光学的なファイバー４５２へと方向付けられたものであると共にそれらを通じて届けられたものである。三つの色のプリズム４５４は、三つの原色の光ビーム（赤色、緑色、及び青色）へと光ビームを分裂させる。さらに、三つの色のプリズム４５４は、光を受容する、ＤＭＤ／ＤＬＰイメージャー４５５へ受容された光を方向付ける、及び、最終的に光を出力する。しかしながら、代替の実施形態において、三つの色のプリズム４５４の内部全反射レンズ部分が、視野レンズによって取り替えられたものであることができることは、認められたことであることになる。三つの色のプリズム４５４は、投射光学部品システム４６０へと（それぞれ、ＤＭＤ／ＤＬＰイメージャーのセット４２４、４２６、４２８、及び４３０によって部分的に変えられたような）四つの光ビーム４４２、４４４、４４８、及び４５０（又は光のチャンネル）を送り届けるようなものとするために反射性のプリズム４５６及び光学的なブロック４５８の配置へとそれらの出力を方向付けるために配向させられたものである。投射光学部品システム４６０は、究極的に、ターゲットのディスプレイの表面４１４の全体のフレームの、それぞれ、領域４１６、４１８、４２０、及び４２２へと光ビーム４４２、４４４、４４８、及び４５０を方向付ける。ＤＭＤ／ＤＬＰイメージャーのセット４２４、４２６、４２８、及び４３０のディスプレイ・コントローラーからそれぞれのＤＭＤ／ＤＬＰイメージャーのミラーまで送られた入力信号は、ディスプレイの表面４１４の関連させられた領域へと投射されたものであるための望まれたイメージを作り出すために必要なデータのみを含む。本発明の他の実施形態において、より多い又はより少ないＤＬＰイメージャーが、それぞれ、より高い又はより低い全体的な投射されたイメージの分解能を達成するために組み込まれたものであることができることは、認められたことであることになる。ＤＭＤ／ＤＬＰイメージャーのセット４２４、４２６、４２８、及び４３０を組み込むことによって、いわゆるレインボー効果は、回避されたものであると共により高いレベルの色の制御は、達成されたものである。
【００１７】
前述するものは、当該発明を実践することについての可能性のいくつかのみを例証する。多数の他の実施形態は、当該発明の範囲及び主旨内で可能性のあるものである。従って、前述するものである記載が、限定するものよりもむしろ例証のものとしてみなされたものであること、及び、当該発明の範囲が、それらの最大限の範囲の均等物と一緒に添付された請求項によって与えられたものであることは、意図されたことである。例については、光ビームを分裂させるものであるプリズムは、いくつかの他の機能的な均等物のビームスプリッター手段を意味する又はそれらで置換されたものであることができると共に、光学的なファイバーは、いくつかの他の機能的な均等物のビームを伝播させるものである手段を意味する又はそれらで置換されたものであることができる。
【００１８】
要するに、開示されたプロジェクターは、直接的に、産業上の問題を扱う共にそれらを解決するものである。それらは、現行のＤＭＤ／ＤＬＰプロジェクターが、（特別に近い目視する距離で）大部分の商業的な劇場について適切なものであるものではないことがあるところの２Ｋ×１Ｋの分解能を有するというもの、及び、ピクセルのメッシュイングが、従来のプロジェクターが、４Ｋ×２Ｋまで分解能を増加させるとき、明白なものになるというもの、である。当該発明は、ピクセルのメッシュイング無しに（特別に大きいイメージについての）大きいイメージの分解能を提供するための（単一のプロジェクターにおける３Ｄ及び２Ｄの性能を有するものである）単一の光源を備えた単一のプロジェクターを提供する。
【００１９】
［付記］
１．
光を発生させるものである及び放出するものであるための光源；
光を受容するものであると共にそれを通じて光を通過させるものであるために配置された異なって偏光させられたセクションを有するものである回転可能なドラム；
ドラムを通じて透過させられた光を受容すると共にそれを反射させるために構成された複数のイメージャー；及び、
イメージャーの各々は、ディスプレイの表面の異なる部分へ投射するために構成されたものであること
：を含むものである、投射システム。
【００２０】
２．
イメージャーの各々は、マイクロディスプレイ・デバイスであるところの、付記１に従った投射システム。
【００２１】
３．
各々のイメージャーは、約２Ｋ×１Ｋのピクセルの分解能を有するところの、付記１に従った投射システム。
【００２２】
４．
各々のイメージャーは、ディスプレイの表面へと映画のイメージの全体のフレームの等しいエリアを表示するために構成されたものであるところの、付記１に従った投射システム。
【００２３】
５．
さらに
光源及びイメージャーの最も少ないときで一つのものの間に光学的に配された内部全反射レンズ
：を含むものである、付記１に従った投射システム。
【００２４】
６．
さらに、
内部全反射レンズ及びディスプレイの表面の間に光学的に配された投射光学部品システム
：を含むものである、付記５に従った投射システム。
【００２５】
７．
さらに、
光の複数の別個のビームへと光源から放出された光を分裂させるものであるための複数の光ビームを分裂させるものであるプリズム
：を含むものである、付記１に従った投射システム。
【００２６】
８．
光の別個のビームの各々は、イメージャーへ方向付けられたものであるところの、付記７に従った投射システム。
【００２７】
９．
各々のイメージャーは、光の複数の別個のビームの光の単一のビームを受容することに適合させられたものであるところの、付記７に従った投射システム。
【００２８】
１０．
イメージャーの各々は、全体の映画のイメージフレームの不連続な部分のみに対応するものである映画のイメージデータを運ぶために光の受容されたビームを操縦するところの、付記７に従った投射システム。
【００２９】
１１．
ドラムは、さらに、
異なって着色されたセクション
：を含むものである、付記１に従った投射システム。
【００３０】
１２．
さらに、
三つの原色の光ビームへと光を分離するものであるための複数の三つの色のプリズム
：を含むものである、付記１に従った投射システム。
【００３１】
１３．
三つの原色の光ビームの各々は、異なるイメージャーへ方向付けられたものである
ところの、付記１２に従った投射システム。
【００３２】
１４．
光ビームは、ドラムが、ドラムの中央の軸まわりに回転させられたものである際に、ドラムの壁を通じて通過させられたものである
ところの、付記１に従った投射システム。
【００３３】
１５．
異なる偏光を有するものである第一の及び第二の光ビームへと源の光ビームを偏光させること及び互いに相対的な極性を部分的に変えること；
回転可能に上記された偏光させることのステップを制御すること：
各々、それぞれの第三の及び第四の異なって偏光させられた光ビームを有するところの光の複数の別個のチャンネルへと第一の及び第二の偏光させられた光ビームを分裂させること；
各々、異なって着色された光ビームのそれぞれのセットへと上記されたそれぞれの第三の及び第四の光ビームの上記されたチャンネルを分割すること、
上記された異なって着色された光ビームのそれぞれのセットでそれぞれのイメージャーを照明すること；並びに、
上記されたそれぞれのイメージャーを備えたディスプレイの異なる領域を照明すること
：のステップを含むものである、イメージを投射するものであるための方法。
【００３４】
１６．
回転可能に制御することのステップは、
内方に方向付けられた表面を有するものである輪状の経路を定義すること、上記された輪状の経路の半径が、実質的に垂直な様式において上記された表面に交差すること；
上記された輪状の経路における偏光させるものである位置を定義すること；
上記された輪状の経路における上記された偏光させるものである位置に向かって上記された源の光ビームを方向付けること；及び
回転可能に上記された輪状の経路に沿った動きを制御すること
：のステップを含むところの、付記１５の方法。
【００３５】
１７．
上記された照明することのステップの間に上記された異なって着色された光ビームを反射させることのステップを含むものである、付記１５の方法。
【００３６】
１８．
光ビームを発生させること；
光の別個の色へと光をフィルター処理すること；
第一の偏光させられたビーム及び第二の偏光させられたビームを作り出すために光ビームを偏光させること、第一の及び第二の偏光させられたビームが、異なる偏光を有するものであること；
各々、共直線性の第一の及び第二の偏光させられたビームを有するところの光の複数の別個のチャンネルへと偏光させられたビームを分裂させること；
各々、異なるイメージャーへそれぞれのチャンネルを方向付けること；
ディスプレイの表面の異なる及び別個の領域へイメージャーからの光のそれぞれのチャンネルの各々を投射すること
：のステップを含むものであるイメージを投射するものであることの方法。
【００３７】
１９．
異なって偏光させられたセクションを有するものである回転可能なドラムは、光ビームを偏光させるための偏光させることのステップにおいて使用されたものであるところの、付記１８の方法。
【００３８】
２０．
イメージャーは、マイクロディスプレイ・デバイスであるところの、付記１８の方法。
【図１】
0005595907.tif 000002
【図２】
0005595907.tif 000003
【図３】
0005595907.tif 000004
【図４】
0005595907.tif 000005